(57)【特許請求の範囲】
【請求項１】
キャッシュレジスタと接続され釣銭払い出し指令に応じて釣銭を自動的に払出口へ払い出す釣銭払い出し機能と、顧客から受取って投入口へ投入された貨幣を金種別に分類して収納する分類収納機能とを有し、硬貨払出口と硬貨投入口とが共に装置本体の一方側に設けられた釣銭自動払い出し装置において、
前記硬貨投入口を含む装置本体の上部に着脱可能とされ前記硬貨投入口が設けられている側とは反対側の上部に開口するように形成された上部硬貨投入口と、この投入口へ投入された硬貨を前記硬貨投入口へ導くシュート部とを有する投入口変換ユニットを設け、
この投入口変換ユニットを装置本体に装着したときは前記硬貨払出口が顧客側に位置し前記上部硬貨投入口が係員側に位置するように配置して前記硬貨払出口に払い出された釣銭を顧客自らが取り出して受け取るようにし、
前記投入口変換ユニットを装置本体に装着しないときは前記硬貨払出口および硬貨投入口が係員側に位置するように配置可能としたことを特徴とする釣銭自動払い出し装置。
【請求項２】
前記投入口変換ユニットの上部硬貨投入口が開口される頂面にマグネットにより着脱自在なトレーが付帯されている請求項１記載の釣銭自動払い出し装置。
【発明の詳細な説明】
【０００１】
【発明の属する技術分野】
本発明は、スパーマーケットやファーストフード店等の店舗の精算所に設置され、キャッシュレジスタ等からの釣銭払い出し指令に基づいて釣銭を自動的に払い出す釣銭自動払い出し装置に関する。
【０００２】
【従来の技術】
従来、キャッシュレジスタ等と接続されて釣銭の払い出しや受け取った貨幣の収納を自動的に行うものとしては、係員が操作を行う係員操作方式の貨幣受け払い装置と、顧客自らが操作を行う顧客操作方式の貨幣受け払い装置がある。
【０００３】
上記係員操作方式による貨幣受け払い装置は、図１３に略示するようにカウンタ１の内側に立つ係員（店員）２が顧客３から受け取った貨幣（紙幣、硬貨）をカウンタ１の内部に設置されている硬貨釣銭自動払い出し装置４、紙幣釣銭自動払い出し装置５の投入口６，７へ投入するか、あるいは金額を確認したのちカウンタ１上のキャッシュレジスタ８でキー入力することにより売上金と預り金との差額を算出して上記装置から釣銭払出口９，１０へ釣銭を投出させ、その釣銭を係員２が取り出して金額を確認しつつ顧客に手渡すようになされている。それ故、上記各装置４，５の投入口６，７や払出口９，１０はすべて係員２側に設けられている。
【０００４】
一方、顧客操作方式による貨幣受け払い装置は、例えば特開平２−２３６７９７号公報にみられるように、貨幣の投入口や払出口はすべて顧客側に設けられており、キャッシュレジスタにより算出された金額に対し顧客自らが貨幣を投入口へ投入し、そのうえ釣銭を払出口から取り出すようになされていた。
【０００５】
【発明が解決しようとする課題】
しかるに係員操作方式による貨幣受け払い装置では、係員が貨幣の受け取りから釣銭の手渡しまでのすべての作業を行うため、係員が１人の顧客に対応する時間のうちで貨幣の受け渡しに要する時間の割合が大きく、混雑時には精算場所に長蛇の列ができてしまうという問題点があった。
【０００６】
特にファーストフード店のように、１人の係員が顧客から注文を受け、その代金を精算（貨幣の受け取りから釣銭の受け渡しまで）したのちに注文を受けた商品を準備して渡すようなシステムの店舗の精算所にあっては、貨幣の受け渡しに要する時間がそのまま１人の顧客に対応する時間に含まれることになり、そのため貨幣の受け渡しに要する時間を如何に短くするかが客さばきを速くするうえにおいて重要な課題となっていた。
【０００７】
また貨幣の受け渡しのなかでも釣銭として払出口へ投出された硬貨を取り出して顧客へ手渡し、顧客がその釣銭硬貨の金額を確認するという作業が最も煩わしく、そのため時間が掛るものとなっている。つまり釣銭硬貨は硬貨払出口にバラ状態で投出されるため、その投出された硬貨を手で集めて取り出すには１回の操作ではすべてを取り出すことが難しく、何回か取り出し操作を行わなければならないためである。
【０００８】
一方、顧客操作方式による貨幣受け払い装置では、顧客自らが貨幣を投入口へ投入しなければならないため、不慣れな顧客はその投入操作に手間取り、精算処理が進まず、レジ精算業務が停滞してしまうという大きな問題点を有している。
また貨幣の受け払いのすべてを顧客に行わせることになるので、貨幣の支払いが確かに行われたか否かを監視するための手段が必要となってコストが嵩み、さらには投入された金額が売上げ金額より少なかった場合に再度貨幣の追加投入を促すようになしければならなず、著しく手間が掛るという問題があった。
【０００９】
本発明は上記の点に着目し、これらの問題点を解消することを課題としてなされたもので、レジ精算所における貨幣の受け払い業務の一部を顧客自らが行うようにし、係員が１人の顧客に対応する時間を短縮して迅速な客さばきを可能とする釣銭自動払い出し装置を提供することにある。
【００１０】
特にファーストフード店のように１人の係員が顧客から注文を受け、その代金を精算したのちに注文を受けた商品を準備して渡すようなシステムの店舗の精算所に使用して最適な釣銭自動払い出し装置を提供するにある。
【００１１】
【課題を解決するための手段】
上記課題を解決する手段として本発明は、キャッシュレジスタと接続され釣銭払い出し指令に応じて釣銭を自動的に払出口へ払い出す釣銭払い出し機能と、顧客から受取って投入口へ投入された貨幣を金種別に分類して収納する分類収納機能とを有し、硬貨払出口と硬貨投入口とが共に装置本体の一方側に設けられた釣銭自動払い出し装置において、
前記硬貨投入口を含む装置本体の上部に着脱可能とされ前記硬貨投入口が設けられている側とは反対側の上部に開口するように形成された上部硬貨投入口と、この投入口へ投入された硬貨を前記硬貨投入口へ導くシュート部とを有する投入口変換ユニットを設け、
この投入口変換ユニットを装置本体に装着したときは前記硬貨払出口が顧客側に位置し前記上部硬貨投入口が係員側に位置するように配置して前記硬貨払出口に払い出された釣銭を顧客自らが取り出して受け取るようにし、
前記投入口変換ユニットを装置本体に装着しないときは前記硬貨払出口および硬貨投入口が係員側に位置するように配置可能としたことにある。
【００１２】
こうしたことにより、一種類の釣銭自動払い出し装置により顧客自らが釣銭硬貨を取り出すセミセルフ方式の運用と、すべて係員が行う係員操作方式の運用とに選択的に使用することができ、店舗において簡単に使い分けができるとともに装置自体が一種類でよいので生産コストの低減を図ることができる。そして、セミセルフ方式の運用においては、レジ精算所における貨幣の受け払い業務の一部を顧客自らが行うようにし、係員が１人の顧客に対応する時間を短縮して迅速な客さばきを可能とすることができる。
【００１３】
また前記投入口変換ユニットの上部硬貨投入口が開口する頂面にマグネットにより着脱自在なトレーを付帯させれば、顧客から受け取った硬貨を顧客が見える場所に一旦置いておくことができ、顧客との間での金銭授受上のトラブルをなくするとともにバラ硬貨の取り扱いを容易にすることができて好ましい。
【００１４】
【発明の実施の形態】
以下、本発明に関連した参考例とともに、本発明を図面に示す実施の形態を参照し、図１３と共通する部分にはこれと同一符号を用いて説明する。
【００１５】
図１〜図４は本発明に関連した硬貨釣銭自動払い出し装置の参考例を示すもので、この参考例では図１にみられるように偏平で細長形態を有する硬貨釣銭自動払い出し装置１１と紙幣釣銭自動払い出し装置１２とを並設するようにした場合を示しており、硬貨釣銭自動払い出し装置１１の装置本体１１ａの一方側の端面には釣銭硬貨の払出口１３が、同他方側の上面には顧客から受け取った硬貨を投入する投入口１４がそれぞれ設けられ、また紙幣釣銭自動払い出し装置１２の装置本体１２ａの一方側の端面には釣銭紙幣の払出口１５が、同他方側の上部には顧客から受け取った紙幣を投入する投入口１６がそれぞれ設けられている。
【００１６】
図２は上記硬貨釣銭自動払い出し装置１１の内部構成を模式的に示す平面図で、前記硬貨投入口１４から投入された硬貨は識別部１７を通って真偽が確認され、次いで選別部１８において金種別に分類され、分類された硬貨はそれぞれの金種に対応する金種別硬貨収納部１９，１９…のいずれかに収納されるようになっており、釣銭払い出し時は釣銭として必要な金種の硬貨が金種別硬貨収納部１９，１９…から必要枚数が繰出されて釣銭硬貨の払出口１３へ投出されるようになっている。
【００１７】
前記紙幣釣銭自動払い出し装置１２は、図３に内部構成を側面図として模式的に示すように、紙幣投入口１６に投入された紙幣は繰込み手段２０により１枚ずつ繰込まれて識別部２１を通り、ここで金種、真偽等が識別され、千円紙幣は千円紙幣収納部２２へ、５千円紙幣は５千円紙幣収納部２３へ、そして万円紙幣およびオーバーフロー紙幣は回収庫２４へそれぞれ分類収納される。
【００１８】
紙幣の釣銭払い出し時には、釣銭として必要な金種（千円、５千円）の紙幣がその収納部２２，２３から必要枚数が繰り出されて釣銭紙幣の払出口１５へ投出されるようになっている。
【００１９】
上記の硬貨および紙幣の釣銭自動払い出し装置１１，１２は、図４に略示しているようにその各払出口１３，１５が顧客３側に位置するようにカウンタ１上に配置して使用される。
【００２０】
したがって係員２は顧客３から受け取った代金を預って確認し、キャッシュレジスタ８でキー入力することにより売上金と預り金との差額を算出して釣銭を要するときは硬貨釣銭自動払い出し装置１１および／または紙幣釣銭自動払い出し装置１２から釣銭硬貨、釣銭紙幣を払い出す。
【００２１】
払い出された釣銭硬貨、釣銭紙幣は、各装置１１，１２の払出口１３，１５へ投出され、顧客３が自らその釣銭を取り出す。一方係員２は顧客３から受け取った代金貨幣を硬貨は硬貨釣銭自動払い出し装置１１の硬貨投入口１４へ、紙幣は紙幣釣銭自動払い出し装置１２の紙幣投入口１６へそれぞれ投入し、前述のように各装置本体１１ａ，１２ａ内の収納部へ分類収納される。これにより金銭授受の精算が完了する。
【００２２】
したがって上記参考例によれば、ファーストフード店のように注文を受けてから商品を準備して顧客が受け取るまでの待ち時間の間に係員の作業とは無関係に顧客が釣銭を取り出して受け取ればよいので、係員が１人の顧客に対応する時間がそれだけ短縮され、時間を有効に利用することができる。
【００２３】
図５〜図７は本発明に関連した硬貨釣銭自動払い出し装置のもう１つの参考例を示すもので、比較的迅速な取り扱いが可能でかつ高額貨幣である紙幣については係員が操作し、取り出しに時間が掛る硬貨の釣銭のみを顧客自らが取り出すようにしたものである。
【００２４】
すなわちこの参考例における紙幣釣銭自動払い出し装置１２Ａの払出口１５が係員２側に設けられており、その内部構成は図６に模式的な側面図として示すように、紙幣投入口１６に投入された紙幣は繰込み手段２０により１枚ずつ繰込まれて識別部２１を通り、ここで金種、真偽等が識別され、千円紙幣は千円紙幣収納部２２へ、５千円紙幣は５千円紙幣収納部２３へ、そして万円紙幣およびオーバーフロー紙幣は回収庫２４へそれぞれ分類収納される。
【００２５】
紙幣の釣銭払い出し時には、釣銭として必要な金種（千円、５千円）の紙幣がその収納部２２，２３から必要枚数が繰り出されて釣銭紙幣の払出口１５へ投出される。
【００２６】
上記の各装置１１，１２Ａは図７に略示しているように硬貨払出口１３は顧客３側に位置し、紙幣払出口１５は係員２側に位置するようにカウンタ１に設置して使用する。
【００２７】
上記参考例の操作において、硬貨については前述の図１に示した参考例と同様であり、硬貨の釣銭は硬貨払出口１３へ投出され、顧客３自らに取らせる。紙幣については係員２側に位置する紙幣払出口１５に釣銭紙幣が投出されるので、その釣銭紙幣を係員２が掴み取って確認したうえ顧客３に手渡す。
【００２８】
したがって上記参考例によれば、比較的取り扱いやすくかつ高額である紙幣については係員が金額を確認して顧客に手渡し、取り扱いに手間どる硬貨の釣銭は顧客に取り出させるので、係員が要する接客時間の短縮を図りながら金銭授受のトラブルの発生を極力少なくすることができる。
【００２９】
図８〜図１２は本発明の一実施形態を示すもので、ここに用いられる硬貨釣銭自動払い出し装置１１Ａは、釣銭硬貨の払出口１３と硬貨投入口１４とが共に装置本体１１ｂの一方側に設けられいる機種を対象とし、これら払出口１３および投入口１４を係員（店員）側に位置させて顧客から受け取った代金のうちの硬貨の投入、釣銭硬貨の取り出しをすべて係員が行う従来の係員操作方式の使用態様と、代金として受け取った硬貨の投入は係員が行い、釣銭硬貨は顧客自らが取り出す使用態様とを選択的に採用し得るようになされたものである。
上記硬貨釣銭自動払い出し装置１１Ａは、偏平箱状をなす装置本体１１ｂの一端面一側寄りの位置に釣銭硬貨の払出口１３が、同他方側寄りの上面には硬貨の投入口１４がそれぞれ設けられており、その内部構成は図９に模式的に平面図を示すように、硬貨投入口１４へ投入された硬貨は識別部１７を通って真偽が識別され、次いで選別部１８へ送られて金種別に分類され、分類された硬貨はそれぞれの金種に対応する金種別硬貨収納部１９，１９…のいずれかに収納されるようになっている。釣銭の払い出し時には釣銭として必要な金種の硬貨が金種別硬貨収納部１９，１９…から必要枚数が繰出されて釣銭硬貨の払出口１３へ投出される。
【００３０】
上記装置本体１１ｂの一端部上面に開口する前記硬貨投入口１４を覆う位置から装置本体１１ｂの反対端にかけての範囲に着脱可能に載装し得る投入口変換ユニット２５が設けられる。
【００３１】
この投入口変換ユニット２５は、図１０〜図１２にみられるように側面視略台形状を有し、その頂面２６部分には上部硬貨投入口２７が開口され、この投入口変換ユニット２５の内部には前記上部硬貨投入口２７から前記装置本体１１ｂの硬貨投入口１４へ投入硬貨を導くよう該投入口１４へ向けて下り傾斜するシュート２８が設けられている。この投入口変換ユニット２５の装置本体１１ｂへの取り付けにはマグネットによる吸着手段等、適宜な手段を採用することができる。
図１１における符号２９Ａ，２９Ｂは、前記上部硬貨投入口２７へ投入すべき硬貨を一時的に置くためのトレーを示し、トレー２９Ａは四周に縁部３０を有する浅箱構造のもので、下面の一端寄りにマグネット３１が内設されていて、このマグネット３１により前記投入口変換ユニット２５の頂面２６に吸着させることにより顧客から受け取った硬貨をトレー２９Ａ内に入れ、次いで上部硬貨投入口２７へ投入することができる。
【００３２】
別種のトレー２９Ｂは、その長手方向一端の縁部３０を開放してシュート３２とされ、該シュート３２側の端部の下面に内設されたマグネット３１を投入口変換ユニット２５の頂面２６に吸着させた状態で前記シュート３２を通じ上部硬貨投入口２７へ硬貨を掻き入れることができるようになされている。
【００３３】
上記の実施形態によれば、装置本体１１ｂの釣銭硬貨の払出口１３および硬貨投入口１４を係員側にしてカウンタに設置することにより係員がすべて操作する係員操作方式の運用ができる。
【００３４】
また図１２のように前記払出口１３および硬貨投入口１４を顧客側として設置し、投入口変換ユニット２５を装着すれば、顧客３から受け取った硬貨の投入時には係員２が投入口変換ユニット２５の上部硬貨投入口２７へ投入することにより内部のシュート２８を通じて装置本体１１ｂの硬貨投入口１４へ投入することができ、釣銭硬貨は装置本体１１ｂの払出口１３へ投出されるので顧客自らが取り出すセミセルフ方式としての運用ができる。
【００３５】
この場合、トレー２９Ａまたは２９Ｂを用いることにより顧客から受け取った硬貨を一時的にトレー上に置いておけるので、顧客との間での金銭授受のトラブルの発生を防ぐうえで好ましい。
【００３６】
したがって一種類の硬貨釣銭自動払い出し装置を、店舗側の運用の仕方で係員操作方式とセミセルフ方式との双方に対応することができ、硬貨釣銭自動払い出し装置を生産する側のメリットが大きい。
【００３７】
【発明の効果】
以上説明したように本発明によれば、レジ精算所における貨幣の受け払い業務の一部である釣銭硬貨の取り出しを顧客自らが行うセミセルフ方式の運用と、すべての操作を係員が行う係員操作方式の運用とを同一の払い出し装置でコンパーチブルに使用することができるので、店舗において簡単に運用を変更することができ、また装置の生産者側においても１種類の装置を生産すればよいので生産効率を上げることができるとともに在庫管理も容易化することができる。そして、セミセルフ方式の運用においては、レジ精算所における貨幣の受け払い業務の一部を顧客自らが行うようにし、係員が１人の顧客に対応する時間を短縮して迅速な客さばきを可能とすることができる。
【００３８】
なお請求項２のように投入口変換ユニットにトレーを付帯させれば、顧客から受け取った貨幣を顧客から見える状態に一時的に置いておくことができるので顧客との間でのトラブルの発生を防ぐことができ、また精算後トレーから上部硬貨投入口へ直ちに投入することができるので硬貨の取り扱いを容易にすることができる。
【図面の簡単な説明】
【図１】  本発明に関連した硬貨釣銭自動払い出し装置の参考例を示す外観斜視図。
【図２】  図１における硬貨釣銭自動払い出し装置の内部構成例を模式的に示す平面図。
【図３】  同、紙幣釣銭自動払い出し装置の内部構成例を模式的に示す側面図。
【図４】  図１の装置を店舗のカウンタ上に設置した使用状態を示す説明図。
【図５】  本発明に関連した硬貨釣銭自動払い出し装置のもう１つの参考例を示す外観斜視図。
【図６】  図５における紙幣釣銭自動払い出し装置の内部構成例を模式的に示す側面図。
【図７】  図５の装置をカウンタ上に設置した使用状態を示す説明図。
【図８】  本発明による硬貨釣銭自動払い出し装置の一実施形態を示す外観斜視図。
【図９】  同、内部構成例を模式的に示す平面図。
【図１０】  セミセルフ方式の運用形態とした状態を示す斜視図。
【図１１】  トレーを付帯する場合の斜視図。
【図１２】  図１０の運用形態としてカウンタ上に設置した使用状態を示す説明図。
【図１３】  従来の技術を示す説明図。
【符号の説明】
１  カウンタ
８  キャッシュレジスタ
１１，１１Ａ  硬貨釣銭自動払い出し装置
１２，１２Ａ  紙幣釣銭自動払い出し装置
１３  釣銭硬貨の払出口
１４  硬貨の投入口
１５  釣銭紙幣の払出口
１６  紙幣の投入口
１７，２１  識別部
１９  金種別硬貨収納部
２２，２３  金種別紙幣収納部
２５  投入口変換ユニット
２７  上部硬貨投入口
２８  シュート
２９Ａ，２９Ｂ  トレー
【図１】
0003803202.tif 000002
【図２】
0003803202.tif 000003
【図３】
0003803202.tif 000004
【図４】
0003803202.tif 000005
【図５】
0003803202.tif 000006
【図６】
0003803202.tif 000007
【図７】
0003803202.tif 000008
【図８】
0003803202.tif 000009
【図９】
0003803202.tif 000010
【図１０】
0003803202.tif 000011
【図１１】
0003803202.tif 000012
【図１２】
0003803202.tif 000013
【図１３】
0003803202.tif 000014